(57)【要約】      （修正有）【課題】ペットの服がまるでペットが他のものと一緒に駕籠・車等を担いでいる作業・共同作業の様に見せ、かつそのペットの服が他のものと組み合わせ置き物としても兼用できるようにする。【解決手段】ペットの前脚を後ろ脚に見立ててペットの顔・前脚部分を一匹のペットに見立てるペットの服と、ペットの胴体からお尻・後ろ脚にかけて作業をするその他のものに見立てる服と、或いはペットの後脚を共同作業するものの脚とみなす服やものにより、あたかもそのペットが作業をしたり他のものと共同作業をしているようにみなす事が出来る服とする。又、このペットの服にペットの代わりにぬいぐるみやその他のものを組合せ置き物として観賞する。【選択図】図１
0003132672.tif 000002
【実用新案登録請求の範囲】
【請求項１】
あたかもペットが作業したり、他のものと共同作業しているかのように見せるペットの服。
【請求項２】
そのペットの服は、ぬいぐるみや他のものと組み合わせる事によって置き物にもすることができる。
【考案の詳細な説明】
【技術分野】
【０００１】本考案は、ペットの服と置き物を兼用する形状に関するものである。
本考案は、ペットの服でそのペットが他のものと、あたかも作業もしくは共同作業をしているように見え、かつ置き物にも使える形状に関するものである。
【実用新案登録文献１】
【非特許文献１】
【背景技術】
【０００２】従来のペットの服は図４に示すように、防寒・防水を目的とする構造で観賞としてもそのペットの姿だけを変身させる単一的な構造であった。
従来の駕籠屋・車等の置き物は、図３に示すようにただ単に観賞するためだけの構造であった。
【考案の開示】
【考案が解決しようとする課題】
【０００３】元来ペットは後ろ脚で立てないので、そのペットと他のものが立って駕籠や車等をかつぐなどという、可愛いい癒しの姿である作業もしくは共同動作を見ることが出来なかった。又、ペットの服もペットが出来なかった動作を表現・創造するものではなかった。又、逆に駕籠や車の置き物で駕籠を担いだ片方のものや車を利用してペットの服として兼用することが出来なかった。
そこで、この考案は、そのペットの服がまるでペットが他のものと一緒に駕籠や車等を担いでいる作業・共同作業の様に見せ、かつそのペットの服が他のものと組み合わせ置き物としても兼用できることを課題とする。
【課題を解決するための手段】
【０００４】  以上の課題を解決するために、第一考案は、ペットの前脚を後ろ脚に見立ててペットの顔・前脚部分を一匹のペットに見立てるペットの服と、ペットの胴体からお尻後ろ脚にかけて作業をするその他のものに見立てる服と、或いはペットの後脚を共同作業するものの脚に見える服やものにより、あたかもそのペットが作業をしたり他のものと共同作業をしているようにみなす事が出来る服で解決する。
また、第二考案は、第一考案のペットの服にペットの代わりにぬいぐるみや他のもの等を組合せ置き物として観賞する。
【考案の効果】
【０００５】第一考案により一匹のペットがあたかも他のものと一緒に作業或いは共同作業をしているように見せ、ペットが出来なかった動作を表現・創造するもので、今までに無い可愛いい表現を可能にし、ペットや置き物が持つ癒す効果を増幅させる。
第二考案によりペットの服にとどまらず置き物としても使用でき利用価値を拡げた。
【考案を実施するための最良の形態】
【０００６】  この考案の一実施形態を、図１、２、３に示す。
【実施例】以下、本考案の実施の形態について説明する。
図１のペットの服にぬいぐるみの腕と棒・ハンテンを付け（図１、２、３のイ、ウ、エア、）、ペットの胴からおしりの部分に駕籠（図１、２、３のオ、）を付ける。
この図２のア、イ、ウ、エ、オ、をペットに着せたり、図３のぬいぐるみＡ、Ｂ、Ｃ、に付けたりする。【０００７】「実施形態の効果」
一匹のペットがあたかも他のものと一緒に作業或いは共同作業をしているように見せ、ペットが出来なかった動作を表現・創造するもので今までに無い可愛いい表現を可能にし、ペットや置き物が持つ癒す効果を増幅させる。
かつ、他のぬいぐるみやものを組み合わせる事で、置き物としても効果が期待できる。【０００８】「他の実施形態」
図１の実施形態では、ペットを犬（図１・４の▲１▼）にしているが猫やその他の四つ脚のペットでも良い。胴体からおしりに駕籠とぬいぐるみの頭・胴体・脚（図１・２・３のア、イ、ウ、エ、オ、）を付けたが、胴体からおしりに荷車・人力車・ぬいぐるみ等ものでも良い。
【図面の簡単な説明】
【０００９】
【図１】この考案の一実施形態を示す斜視図である。
【図２】この考案の一実施形態を示す展開的斜視図である。
【図３】この考案の一実施形態を示す斜視図であり、置き物の従来技術を示す斜視図でもある。
【図４】従来技術を示す斜視図である。
【符号の説明】
【００１０】ア、動物のぬいぐるみの頭やその他
イ、動物のぬいぐるみの腕と駕籠の担ぎ棒やその他
ウ、動物のぬいぐるみの腕と杖棒やその他
エ、ハンテン（じんべさん）やその他
オ、駕籠やその他
Ａ、動物のぬいぐるみの頭部分やその他
Ｂ、動物のぬいぐるみの胴体・脚部分やその他
Ｃ、動物のぬいぐるみの胴体・脚部分やその他
▲１▼、犬
▲２▼、犬の服
【図１】
0003132672.tif 000003
【図２】
0003132672.tif 000004
【図３】
0003132672.tif 000005
【図４】
0003132672.tif 000006
【手続補正書】
【提出日】平成19年3月27日(2007.3.27)
【手続補正１】
【補正対象書類名】実用新案登録請求の範囲
【補正対象項目名】全文
【補正方法】変更
【補正の内容】
【実用新案登録請求の範囲】
【請求項１】
ペット又は人形用の服において、
ペット又は人形用の服の頭首部から前足部までを覆う第一部を有し、
ペット又は人形用の服の胴体部分からお尻と後ろ足までを覆う第二部を有し、
前記第一部と前記第二部とが連結されていることを特徴としているペット又は人形用の服。
【請求項２】
請求項１記載ペット又は人形用の服の第二部を分割し第三部をつくると、
ペット又は人形用の服の頭首部から前足部までを覆う服の第一部を有し、
ペット又は人形用の服の胴体部分を覆う第二部を有し、
ペット又は人形用の服のお尻から後ろ足部を覆う第三部を有する形状となり、
該服の第一部は、人体の腕に模した腕部を有し、そのペットの頭首部から前足部が直立した作業者に見える構造をしており、
該服の第二部は、第一部の腕が作業する作業対象物の形状をしており、
該服の第三部は、第一部の共同作業者に見える形状を有するものであり、
前記第一部と前記第二部と前記第三部の順に連結された構造で出来た一着の服と一匹のペットとでペットが作業をしているように見える構造を特徴とする請求項１記載のペット又は人形用の服。
【手続補正３】
【補正対象書類名】明細書
【補正対象項目名】０００６
【補正方法】変更
【補正の内容】
【０００６】
実施例として
図２のハンテン・腕・棒・頭・駕籠（ア、イ、ウ、エ、オ、）を図１・３のように組み合わせる。
ハンテン（図１、２、３のエ、）に、ぬいぐるみ等の腕と棒（図１、２、３のイ、ウ、）を付け、図１のようにペットの首片部から前足部分に着せた時に、前足を後ろ足に見立て、ペットがあたかも後ろ足で立っているかのように見せる形状構造部分と、
同様に、ハンテン（図１、２、３のエ、）に、ぬいぐるみ等の腕と棒（図１、２、３のイ、ウ、）と、ぬいぐるみ等の頭（図１、２、３のア、）を付け、これをペットのお尻部に着せた時に、このペットのお尻・後ろ足が、あたかもぬいぐるみ等の頭（図１、２、３のア、）の胴体・後ろ足のように見せる形状構造部分とを、駕籠（図１、２、３のオ、）で繋ぎ組み合わせる。
又、この目的・機能を果たせる構造を保てる事が出来るならば、図２のハンテン・腕・棒・駕籠・頭（エ、イ、ウ、オ、ア、）を他のものや材料を利用する事もある。
又、ぬいぐるみや他のもの（図３のＡ、Ｂ、Ｃ、）と組み合わせ、置き物にする。